(57)【特許請求の範囲】
【請求項１】
相互に平行に架設した前後一対の桁材と、
前記一対の桁材の相互間に平行に掛け渡され、上部に屋根葺き材を装着するための呑込み溝部を形成すると共に前記各桁材に対し締結を解いた状態でスライド可能な複数本の垂木部材と、
前記呑込み溝部に縁部を挿入した状態で装着される屋根葺き材と、
前記屋根葺き材の縁部上面と前記呑込み溝部との間をシールする上シール部材と、
前記屋根葺き材の縁部下面と前記呑込み溝部との間をシールする後付けタイプの下シール部材とを備えた簡易屋根において、
前記呑込み溝部の開口端の下縁から溝底までの深さ寸法を「Ｌ」とし、前記呑込み溝部に装着した前記屋根葺き材の縁部から前記溝底までの長さ寸法を「Ａ」とした場合に、Ａ＞１／３Ｌの関係を満たし、
前記呑込み溝部の前記溝底と前記下シール部材との間には、前記下シール部材の装着に先立って挿入した前記屋根葺き材の縁端を位置規制する位置規制部が設けられ、
前記位置規制部は、前記下シール部材の上端より低く突出していることを特徴とする簡易屋根。
【請求項２】
相互に平行に架設した前後一対の桁材と、
前記一対の桁材の相互間に平行に掛け渡され、上部に屋根葺き材を装着するための呑込み溝部を形成すると共に前記各桁材に対し締結を解いた状態でスライド可能な複数本の垂木部材と、
前記呑込み溝部に縁部を挿入した状態で装着される屋根葺き材と、
前記屋根葺き材の縁部上面と前記呑込み溝部との間をシールする上シール部材と、
前記屋根葺き材の縁部下面と前記呑込み溝部との間をシールする後付けタイプの下シール部材とを備えた簡易屋根において、
前記呑込み溝部の開口端の下縁から溝底までの深さ寸法を「Ｌ」とし、前記呑込み溝部に装着した前記屋根葺き材の縁部から前記溝底までの長さ寸法を「Ａ」とした場合に、Ａ＞１／３Ｌの関係を満たし、
前記呑込み溝部の前記溝底と前記下シール部材との間には、前記下シール部材の装着に先立って挿入した前記屋根葺き材の縁端を位置規制する位置規制部が設けられ、
前記位置規制部が、前記垂木部材と一体に形成されていることを特徴とする簡易屋根。
【発明の詳細な説明】
【０００１】
【発明の属する技術分野】
本発明は、バルコニー屋根、テラス、カーポート等の簡易屋根に関するものである。
【０００２】
【従来の技術】
従来、この種の簡易屋根としては、例えば、特開平９−２４２２６８号公報に記載されたものが知られている。この簡易屋根では、屋根葺き材を装着するための呑込み溝部を形成した垂木部材に、装着した屋根葺き材をシールする先付けタイプの上シール部材と後付けタイプの下シール部材とが、取り付けられている。そして、前後一対の桁材に対し、桁方向に向かって垂木部材、屋根葺き材、垂木部材、屋根葺き材、…の順でこれらを組み込んで行き、最後に下シール部材を装着することで、一連の組立作業が下側から行えるようになっている。
【０００３】
【発明が解決しようとする課題】
このような従来の簡易屋根では、下側からの容易に施工することができるが、破損した屋根葺き材を交換する場合には、上記と逆の手順で分解作業を行い、破損した屋根葺き材を交換することになり、交換に手間がかかる問題があった。特に、桁行き方向に長い簡易屋根において、中間部分の屋根葺き材が破損すると、少なくとも簡易屋根の桁行き方向半部を、分解および再組立する必要がある。
【０００４】
本発明は、屋根葺き材を下側から簡単に施工することができ、且つ屋根葺き材の交換作業を容易に行い得る簡易屋根を提供することを課題としている。
【０００５】
【課題を解決するための手段】
本発明に係る簡易屋根は、相互に平行に架設した前後一対の桁材と、一対の桁材の相互間に平行に掛け渡され、上部に屋根葺き材を装着するための呑込み溝部を形成すると共に各桁材に対し締結を解いた状態でスライド可能な複数本の垂木部材と、呑込み溝部に縁部を挿入した状態で装着される屋根葺き材と、屋根葺き材の縁部上面と呑込み溝部との間をシールする上シール部材と、屋根葺き材の縁部下面と呑込み溝部との間をシールする後付けタイプの下シール部材とを備えた簡易屋根において、呑込み溝部の開口端の下縁から溝底までの深さ寸法を「Ｌ」とし、呑込み溝部に装着した屋根葺き材の縁部から溝底までの長さ寸法を「Ａ」とした場合に、Ａ＞１／３Ｌの関係を満たし、呑込み溝部の溝底と下シール部材との間には、下シール部材の装着に先立って挿入した屋根葺き材の縁端を位置規制する位置規制部が設けられ、位置規制部は、下シール部材の上端より低く突出していることを特徴とする。
【０００６】
この構成によれば、前後一対の桁材に対し、桁方向に向かって垂木部材、屋根葺き材、垂木部材、屋根葺き材の順でこれらを組み込んで行き、最後に下シール部材を装着することで、下側からの作業で全体を簡単且つ迅速に組み立てることができる。
一方、破損等により任意の１枚の屋根葺き材を交換する場合には、上記のＡ＞１／３Ｌの関係を満たしているため、破損した屋根葺き材の両側の垂木部材を、桁材との締結を解いて外側にずらすことで、破損した屋根葺き材を両側の垂木部材から下側に外すことができる。すなわち、破損した屋根葺き材の両側の垂木部材を移動させるだけで、屋根葺き材を下側から交換することができる。
そして、Ａ＞１／３Ｌの関係を満たす場合では、呑込み溝部の深さに比して、屋根葺き材の縁部の挿入長さがかなり短くなる。このため、屋根葺き材を呑込み溝部内に挿入装着するにあたって、屋根葺き材が一方の垂木部材側に大きく寄った状態で装着されてしまうと、後に風による煽り等により屋根葺き材が呑込み溝から外れてしまうおそれがある。
上記の構成によれば、屋根葺き材を呑込み溝に挿入したときに、たとえ屋根葺き材が一方に偏って挿入されても、屋根葺き材の縁端が位置規制部に突き当たるため、偏りが抑制される。そして、下シール部材を装着した段階では、屋根葺き材は上動し、位置規制部から上側に離れてその規制が解かれる。したがって、上記のＡ＞１／３Ｌの関係を満たす場合でも、垂木部材からの屋根葺き材の脱落を確実に防止することができる。
【０００７】
本発明に係る他の簡易屋根は、相互に平行に架設した前後一対の桁材と、一対の桁材の相互間に平行に掛け渡され、上部に屋根葺き材を装着するための呑込み溝部を形成すると共に各桁材に対し締結を解いた状態でスライド可能な複数本の垂木部材と、呑込み溝部に縁部を挿入した状態で装着される屋根葺き材と、屋根葺き材の縁部上面と呑込み溝部との間をシールする上シール部材と、屋根葺き材の縁部下面と呑込み溝部との間をシールする後付けタイプの下シール部材とを備えた簡易屋根において、呑込み溝部の開口端の下縁から溝底までの深さ寸法を「Ｌ」とし、呑込み溝部に装着した屋根葺き材の縁部から溝底までの長さ寸法を「Ａ」とした場合に、Ａ＞１／３Ｌの関係を満たし、呑込み溝部の溝底と下シール部材との間には、下シール部材の装着に先立って挿入した屋根葺き材の縁端を位置規制する位置規制部が設けられ、位置規制部が、垂木部材と一体に形成されていることを特徴とする。
【０００８】
この構成によれば、前後一対の桁材に対し、桁方向に向かって垂木部材、屋根葺き材、垂木部材、屋根葺き材の順でこれらを組み込んで行き、最後に下シール部材を装着することで、下側からの作業で全体を簡単且つ迅速に組み立てることができる。
一方、破損等により任意の１枚の屋根葺き材を交換する場合には、上記のＡ＞１／３Ｌの関係を満たしているため、破損した屋根葺き材の両側の垂木部材を、桁材との締結を解いて外側にずらすことで、破損した屋根葺き材を両側の垂木部材から下側に外すことができる。すなわち、破損した屋根葺き材の両側の垂木部材を移動させるだけで、屋根葺き材を下側から交換することができる。
そして、Ａ＞１／３Ｌの関係を満たす場合では、呑込み溝部の深さに比して、屋根葺き材の縁部の挿入長さがかなり短くなる。このため、屋根葺き材を呑込み溝部内に挿入装着するにあたって、屋根葺き材が一方の垂木部材側に大きく寄った状態で装着されてしまうと、後に風による煽り等により屋根葺き材が呑込み溝から外れてしまうおそれがある。
上記の構成によれば、屋根葺き材を呑込み溝に挿入したときに、たとえ屋根葺き材が一方に偏って挿入されても、屋根葺き材の縁端が位置規制部に突き当たるため、偏りが抑制される。そして、押出し形材などの一体成形等により、位置規制部を垂木部材に簡単に作り込むことができる。
【００１１】
【発明の実施の形態】
以下、添付図面に基づいて、本発明の一実施形態に係る簡易屋根をバルコニー屋根に適用した場合について、説明する。
【００１２】
図１に示すように、バルコニー屋根１は、バルコニーＢに併設した片流れ屋根であり、その後部は建物の外壁Ｗに支持され、その前部はバルコニーＢの左右一対の支柱Ｐ，Ｐに支持されている。バルコニー屋根１は、外壁Ｗに固定された最後部の垂木掛け（桁材）２と、垂木掛け２に平行に架設した最前部の前枠（桁材）３と、垂木掛け２および前枠３間に掛け渡した複数本の垂木部材４とで主構造部が構成されており、前枠３の左右両側には、支柱Ｐ，Ｐの上端がネジ止め固定されている。なお、垂木掛け２、前枠（桁材）３および垂木部材４は、いずれもアルミニウムの形材などで構成されている。また、左右の最外端に２つの垂木部材４は、バルコニー屋根１の側枠を兼ねている。
【００１３】
また、垂木掛け２と前枠３と隣接する各垂木部材４，４とで区画された領域には、アクリル板などの樹脂で構成された屋根葺き材６が、それぞれ取り付けられている。なお、前枠３は雨樋を兼ねており、符号７は、バルコニー屋根１の降雨を、前枠３を介して地表に導く縦樋である。
【００１４】
図２に示すように、前枠３は、中空状の前枠本体１１と、前枠本体１１から前方に断面円弧状に水平方向に延設した雨樋部１２とで構成されている。また、前枠本体１１の後部の中間位置には、垂木部材４の前端部を下側から支持する支持突片１３が延設されている。前枠３に対して垂木部材４は、その前部をこの支持突片１３に載置した状態で、ブラケット９を介して前枠３にネジ止め固定される。したがって、ブラケット９の前枠３側の締結ねじを外すことで、垂木部材４の前部は、支持突片１３上を桁行き方向に移動可能となっている。
【００１５】
また、前枠本体１１の上部には、屋根葺き材６の前縁部が挿入される前呑込み溝部１４が形成され、この前呑込み溝部１４を構成する上片部１５の先端には、屋根葺き材６を上側からシールする先付けタイプの軒側上シール部材１６が取り付けられている。さらに、この軒側上シール部材１６に対応して、屋根葺き材６を下側から支持する後付けタイプの軒側下シール部材１７が装填されている。
【００１６】
一方、垂木掛け２は、前側に突出する上片２１、中間片２２及び下片２３を有する形材で構成されており、上片２１と中間片２２との間には後呑込み溝部２４が設けられている。また、垂木掛け２は、中間片２２の下側でコーチねじ２５によって外壁Ｗに固定されている。さらに、垂木掛け２に対して垂木部材４の後端部は、ブラケット２６を介して垂木掛け２にネジ止め固定される。この場合も、ブラケット２６の垂木掛け２側の締結ねじを外すことで、垂木部材４の後部は、下片２３上を桁行き方向に移動可能となっている。屋根葺き材６の上側と上片２１との間には、先付けタイプの棟側上シール部材２７が介設され、屋根葺き材６の下側と中間片２２との間には、後付けタイプの棟側下シール部材２８が介設されている。
【００１７】
図３および図４に示すように、各垂木部材４は、断面略方形の中空状を為す垂木本体３２とで、垂木本体３２の上側に形成した断面「Ｔ」字状の上の屋根葺き押え部３１とで一体に形成されている。この屋根葺き材押え部３１と垂木本体３２との間には、屋根葺き材押え部３１の仕切り壁３７によって仕切られた左右対称形状の一対の呑込み溝部３３，３３が形成されている。ただし、図示しないが、左右端部の垂木部材４は、一個の呑込み溝部３３をもった形状を有している。
【００１８】
さらに、各呑込み溝部３３には、屋根葺き材６を挟んで上シール部材３４と下シール部材３５が設けられている。上シール部材３４は、屋根葺き材押え部３１に外端部下面に装着した先付けタイプのものであり、下シール部材３５は、屋根葺き材６と垂木本体３２との間に差し込まれるようにして装着される後付けタイプのものである。呑込み溝部３３には、その開口端３３ａから屋根葺き材６の縁部が差し込まれ、上シール部材３４および下シール部材３５により、垂木部材４に対し屋根葺き材６の縁部ががたつき無く且つ水密に固定される。
【００１９】
このような構成では、前後に位置する前枠３および垂木掛け２に対し、垂木部材４、屋根葺き材６、垂木部材４、屋根葺き材６、の順でこれらを桁行き方向に組んで行き、最後の各下シール部３５を装着することで、バルコニー屋根１が下側からの作業で組み立てられる。
【００２０】
とこで、上記のバルコニー屋根１の施工後において、破損等により屋根葺き材６の交換が必要となった場合に、破損した屋根葺き材６の部分まで、上記の組立作業と逆の手順でバルコニー屋根１を分解する必要が生ずる。そこで本実施形態では、上記の分解の手間をできるだけ省き得るように、以下のような構造を採用している。
【００２１】
図３に示すように、本実施形態では、呑込み溝部３３の開口端３３ａの下縁３３ｂから仕切り壁３７までの深さ寸法を「Ｌ」とし、屋根葺き材６の縁端６ａから仕切り壁３７までの長さ寸法を「Ａ」とした場合、４Ａ＞２ａすなわち４Ａ＞２（Ｌ−Ａ）の関係を満たすように、垂木部材４の呑込み溝部３３や屋根葺き材６の長さを設計されている。
【００２２】
このように構成では、例えば、図５（ａ）に示すように一枚の屋根葺き材６Ａが破損した場合に、先ずこの屋根葺き材６Ａおよびその両隣の屋根葺き材６Ｂの計６個の下シール部材３５を取り外す。屋根葺き材６Ａの破損状況によっては、この時点で屋根葺き材６Ａを取り去る（同図（ｂ）参照）。次に、両隣の屋根葺き材６Ｂ、６Ｂを、呑込み溝部３３内においてスライドさせ、外側に最大限寄せる。すなわち、両隣の屋根葺き材６Ｂ、６Ｂを仕切り壁３７に突き当たる位置まで移動させる（同図（ｃ）参照）。
【００２３】
ここで、前枠３および垂木掛け２に対し、破損した屋根葺き材６Ａの両側に位置する２本の垂木部材４，４の締結を解き、それぞれ外側にスライドさせる（同図（ｄ）参照）。なお、この時点で屋根葺き材６Ａを取り去ってもよい。このようにして、２本の垂木部材４，４を最大限外側にスライドさせると、上記のＡ＞１／３Ｌの関係により、両垂木部材４，４間に大きく開いたスペース、厳密には、両垂木部材４，４の両開口端３３ａ距離が、屋根葺き材６の幅以上となる。
【００２４】
そこで、２本の垂木部材４，４間のスペースに、新しい屋根葺き材６Ｃを配置し、この屋根葺き材６Ｃの両縁部を呑み込むようにして、２本の垂木部材４，４間を元の位置にスライドさせる（同図（ｅ）参照）。そして最後に、両垂木部材４，４を前枠３および垂木掛け２に締結すると共に、計６個の下シール部材３５を、再度装着する（同図（ｆ）参照）。
【００２５】
一方、Ａ＞１／３Ｌの関係を満たすことで、呑込み溝部３３の深さＬに比して、屋根葺き材６の縁部の挿入長さがかなり短くなる。このため、屋根葺き材６を垂木部材４の呑込み溝部３３内に挿入するときに、屋根葺き材６が一方に極端に寄った状態で施工されてしまうおそれがある（図５（ｃ）のような状態）。そこで、本実施形態では、以下のような構成をとっている。
【００２６】
すなわち、図３に示すように、垂木部材４の呑込み溝部３３には、呑込み溝部の溝底となる仕切り壁３７と、下シール部材３５との間に位置して、下シール部材３５の上端より低く突出した位置規制部４０が形成されている。この位置規制部４０は、下シール部材３５の装着に先立って挿入した屋根葺き材６の縁端を位置規制するものであり、下シール部材３５の装着部位に着座した屋根葺き材６が、これに突き当たって左右に大きく偏らないようになっている。
【００２７】
このように、各垂木部材４に位置規制部４０を設けることで、位置規制部４０に屋根葺き材６の端部６ａを突き当てるような位置決め作業が可能になり、左右の垂木部材４，４と屋根葺き材６とのセンター合わせが容易になる。したがって前述したようにＡ＞１／３Ｌの関係を満たす場合でも、施工後において、風などにより、垂木部材４からの屋根葺き材６が脱落するような事態を確実に防止することができる。
【００２８】
本発明は、前述した実施形態に限定されるものではなく、例えば、図６に示すように、垂木部材４の位置規制部４０を、垂木本体３２の上面から仕切り壁３７に平行に呑込み溝部３３内に突出する鉛直片４１で構成しても良い。また、図７に示すように、垂木部材４の位置規制部４０を、仕切り壁３７の略中間位置から開口端３３ａに向かって横「Ｔ」字状に延びる横Ｔ字片４２で構成してもよい。さらに、図８に示すように、垂木部材４の位置規制部４０を、仕切り壁３７をクランク状に折り曲げて形成した突当て部で構成しても良い。またさらに、図９に示すように、垂木部材４Ｃの位置規制部４０を、呑込み溝部３３の溝奥に設置したセッティングブロック４４で構成してもよい。
【００２９】
なお、本実施形態の垂木部材は、垂木本体と屋根葺材押さえ部とを一体に形成したものであるが、本発明は、これらが別体に形成された垂木にも適用可能である。
【００３０】
【発明の効果】
以上のように本発明の簡易屋根によれば、破損した屋根葺き材の両側の垂木部材部材を移動させるだけで、この屋根葺き材を交換することができるため、屋根葺き材を下側から簡単に施工することができだけでなく、屋根葺き材の交換作業を容易に行うことができる。
【図面の簡単な説明】
【図１】（ａ）は、本発明に係る簡易屋根の一実施形態を示す正面図であり、（ｂ）はその平面図であり、（ｃ）はその側面図である。
【図２】バルコニー屋根の垂木部材の取付構造を示す断面図である。
【図３】本発明に係る簡易屋根に適用する垂木部材の横断面図である。
【図４】複数の垂木部材を並設させた状態を示す断面図である。
【図５】破損した屋根葺き材の交換作業の手順を示す断面図である。
【図６】本発明に係る垂木部材の第２の実施形態を示す横断面図である。
【図７】本発明に係る垂木部材の第３の実施形態を示す横断面図である。
【図８】本発明に係る垂木部材の第４の実施形態を示す横断面図である。
【図９】本発明に係る垂木部材の第５の実施形態を示す横断面図である。
【符号の説明】
１  バルコニー屋根（簡易屋根）、２  垂木掛け（桁材）、３  前枠（桁材）、４  垂木部材、６  屋根葺き材、６ａ  屋根葺き材の縁端、３３  呑込み溝部、３３ａ  開口端、３４  上シール部材、３５  下シール部材、３７  仕切り壁、４０  位置規制部
【図１】
0003785364.tif 000002
【図２】
0003785364.tif 000003
【図３】
0003785364.tif 000004
【図４】
0003785364.tif 000005
【図５】
0003785364.tif 000006
【図６】
0003785364.tif 000007
【図７】
0003785364.tif 000008
【図８】
0003785364.tif 000009
【図９】
0003785364.tif 000010